(57)【要約】      （修正有）【課題】侵入規制部材を容易にコーンに取付けることができるコーン用環状体を提供する。【解決手段】コーンの外面にはコーン用環状体２が着脱可能に嵌合され、コーン用環状体２には侵入規制部材としてチェーンがリング部材を介して取付けられる。コーン用環状体２は、ほぼ円形の環状の壁部２１と、壁部２１の図面上方に位置する上端部２２および下方に位置する下端部２３とを備える。壁部２１には径方向内側へと屈曲する段部２７を備える。コーン用環状体２は、コーンに嵌合したとき、上端部２２に設けられた突出片２５がコーンの外面に接触し、壁部２１および下端部２３がコーン外面から離間する。外面から離間した壁部２１に設けられた段部２７には、それを厚さ方向に貫通する貫通孔２８が設けられる。【選択図】図２
0003198590.tif 000002
【実用新案登録請求の範囲】
【請求項１】
円錐状のコーンの外面に嵌合可能なコーン用環状体であって、
環状を有する壁部と、上端部および下端部とを備え、
前記上端部および前記下端部の少なくともいずれか一方がコーン外面に接触可能であり、かつ、前記壁部の少なくとも一部が前記コーン外面から離間し、
前記コーン外面から離間した前記壁部に、連結開口部を設けることを特徴とするコーン用環状体。
【考案の詳細な説明】
【技術分野】
【０００１】
この発明は、道路工事による交通規制などの注意を喚起したり、安全を確保したりするために用いるコーン（ロード・コーン）に取り付けられるコーン用環状体に関し、より詳細には、チェーン等の侵入規制部材を接続することができるコーン用環状体に関する。
【背景技術】
【０００２】
従来、コーンとコーンとの間に取付け、工事現場等への侵入を規制するための侵入規制部材が知られている。侵入規制部材として、棒タイプおよびチェーンタイプのものがある。棒タイプとして、棒部材の両端にリング部が設けられたものがあり、それぞれのリング部を離間した一対のコーンに嵌合することによってこれらコーン間における侵入を規制する。また、チェーンタイプのものは、チェーンの両端を一対のコーンのそれぞれに巻き付けることによって侵入を規制する。棒タイプのものは、棒の長さによってコーンの離間距離が決定されるが、チェーンタイプの場合には、チェーンの長さを容易に調整可能なので、コーンの離間距離を変更できるという利点がある。
【先行技術文献】
【特許文献】
【０００３】
【特許文献１】特開２００３−３０１４２８号公報
【考案の概要】
【考案が解決しようとする課題】
【０００４】
しかしながら、チェーンを用いた場合には、チェーンをコーンに巻き付けたり、固定したりする作業が必要であり、これが煩わしいという問題があった。
【０００５】
この考案では、侵入規制部材を容易にコーンに取付けることができるコーン用環状体を提供することを課題とする。
【課題を解決するための手段】
【０００６】
この考案は、円錐状のコーンの外面に嵌合可能なコーン用環状体であって、環状を有する壁部と、上端部および下端部とを備え、前記上端部および前記下端部の少なくともいずれか一方がコーン外面に接触可能であり、かつ、前記壁部の少なくとも一部が前記コーン外面から離間し、前記コーン外面から離間した前記壁部に、連結開口部を設けることを特徴とする。
【考案の効果】
【０００７】
この考案によれば、コーン用環状体の壁部に設けられた連結開口部にチェーン等の侵入規制部材の端部を連結することができる。したがって、一対のコーン用環状体の一方に侵入規制部材の一端を取付け、他方に侵入規制部材の他端を取付け、これらコーン用環状体をコーンに嵌合することによって、容易に侵入規制部材を設置することができる。
【図面の簡単な説明】
【０００８】
【図１】コーン用環状体の一実施形態を示すものであり、その使用状態を説明する図。
【図２】コーン用環状体の斜視図。
【図３】コーン用環状体の他の実施形態を示す斜視図。
【考案を実施するための形態】
【０００９】
図１を参照すれば、コーン１は略円錐形の外面１１を有し、軸方向において底部１２から頂部１３に向かってその径が小さくなる。この実施形態においてコーン１は、所与離間して二つ用いられる。それぞれのコーン１の外面１１にはコーン用環状体２が着脱可能に嵌合され、コーン用環状体２には侵入規制部材が取り付けられる。より詳細には、侵入規制部材としてチェーン３を用い、チェーン３の一方の端部３１がリング部材４を介して一方のコーン用環状体２に取付けられ、チェーン３の他方の端部３２がリング部材４を介して他方のコーン用環状体２に取付けられる。
【００１０】
図２を参照すれば、コーン用環状体２は、ほぼ円形の環状の壁部２１と、壁部２１の図面上方に位置する上端部２２および下方に位置する下端部２３とを備える。上端部２２は下端部２３よりもその径が小さくなるように軸線２４に対して傾斜する。上端部２２には軸線２４に向かって径方向内側へと延びる突出片２５と、突出片２５から上方へ延びるリブ２６とを備える。突出片２５およびリブ２６は、壁部２１に沿ってほぼ環状に設けられる。さらに、壁部２１には径方向内側へと屈曲する段部２７を備える。この実施形態において、段部２７は、壁部２１の一部に設けられる。段部２７は、ひとつであっても複数であってもよい。
【００１１】
コーン用環状体２は、コーン１に嵌合したとき、上端部２２または下端部２３のいずれか一方がコーン１の外面１１に接触するとともに、壁部２１の一部が外面１１から離間するようにしている。この実施形態において、コーン用環状体２の上端部２２に設けられた突出片２５がコーン１の外面１１に接触し、壁部２１および下端部２３がコーン外面から離間する。外面１１から離間した壁部２１に設けられた段部２７には、それを厚さ方向に貫通する貫通孔２８が設けられる。貫通孔２８は、この考案の連結開口部を構成する。貫通孔２８は、段部２７の少なくともひとつに設けられる。
【００１２】
コーン用環状体２の貫通孔２８には、リング部材４を介してチェーン３の一方の端部３１が取り付けられる。同様に、コーン用環状体２の貫通孔２８に、リング部材４を介してチェーン３の他方の端部３２が取り付けられる。チェーン３を連結したリング部材４をコーン用環状体の貫通孔２８にはめるだけで、これらチェーン３をコーン用環状体２に連結することができるので、その連結が容易である。コーン１の設置現場は屋外であることが多く、夜間や降雪時、降雨時にチェーン３をコーン１に取付ける作業をするのは容易ではない。しかし、この実施形態においては、チェーン３は予めコーン用環状体２に連結させておくことができるので、コーン１の設置現場での作業数を軽減することができる。しかも、コーン用環状体２は、コーン１の上部から挿入するだけで、容易にコーン１に取付けることができる。
【００１３】
この実施形態において、コーン用環状体２の上端部２２に、突出片２５を設けることとしたので、突出片２５がコーン１の外面１１に接触してコーン１に支持され、確実に壁部２１を外面１１から離間させることができる。また、リブ２６を設けることにより、複数のコーン用環状体２を積み重ねたときに、積み重ねた状態を保持しやすくすることができる。
【００１４】
この実施形態において、貫通孔２８を段部２７に設けることとしたので、貫通孔２８を確実にコーン１の外面１１から離間させることができ、貫通孔２８にリング部材４等が取り付けやすい。チェーン３は段部２７に設けた貫通孔２８に連結するようにしているが、これに限定するものではない。貫通孔２８は壁部の他の部分に設けることも可能である。
【００１５】
コーン用環状体２に設けられた貫通孔２８は、ひとつであっても、複数であってもよい。例えば、段部２７が複数設けられている場合には、貫通孔２８は複数の段部２７に設けられてもよい。また、貫通孔２８を２つ設け、これらがコーン用環状体２の軸線２４に対して１８０度の位置にそれぞれ配置された場合には、このコーン用環状体２を嵌合したコーン１の左右にそれぞれコーン１を連結することができ、３つのコーンを一直線上に並べることができる。また、軸線２４に対して９０度の位置に貫通孔２８を設けた場合には、連結した３つのコーンが略直角になるように並べることができる。
【００１６】
この実施形態において、連結開口部を貫通孔２８によって構成することとしているが、コーン用環状体２の上端部２２の一部に設けた切欠き部２９によって形成することもできる。切欠き部２９を設けることによって、確実にコーン１の外面１１と壁部２１とを離間させることができ、リング部材４を取り付け可能とすることができる。
【００１７】
図３は、他の実施形態のコーン用環状体２を示したものである。この実施形態におけるコーン用環状体２は、上端部２２および下端部２３の径がほぼ等しく、全体として円筒状である。このようなコーン用環状体２をコーン１に取付けた場合には、下端部２３がコーン１の外面１１に接触する。外面１１から離間した壁部２１であって、上端部２２近傍には、これを厚さ方向に貫通する貫通孔２８が設けられる。この貫通孔２８に、リング部材４を介してチェーン３が取り付けられる。貫通孔２８がこの考案の連結開口部を構成する。
【００１８】
この考案において、コーン用環状体２は、コーン１の底部１２から頂部１３までの寸法の中点よりも底部１２側に位置するようにするのが好ましい。すなわち、チェーン３はコーン１の高さの半分よりも下方に位置するようにする。このような位置にすることによって、頂部１３近傍には、既存の侵入規制部材を取付けることができ、これら侵入規制部材を視認しやすくすることができる。
【００１９】
この考案におけるコーン用環状体２は、プラスチック樹脂、金属、木材等、種々の材料を用いて形成することができる。また、大きさや形状は、適宜変更可能であり、特にコーン１の大きさ・形状に応じて変更することが望ましい。
また、侵入規制部材としてチェーン３を用いたが、チェーン３に限定するものではなく、棒部材や紐部材等を用いることもできる。より好ましくは、侵入規制部材に蓄光材料を用い、特に、蓄光材料を含むプラスチック樹脂で構成されたチェーンを用いる。
【符号の説明】
【００２０】
１    コーン
１１    外面
２    コーン用環状体
２１    壁部
２２    上端部
２３    下端部
２８    貫通孔（連結開口部）
２９    切欠き（連結開口部）
【図１】
0003198590.tif 000003
【図２】
0003198590.tif 000004
【図３】
0003198590.tif 000005